(57)【要約】【課題】スペアタイヤを保持した際の吊り索の吊支部を車体下面に対して垂直に保つことにより、車体下面のタイヤ当て部材を小さくでき、車体下部のレイアウトの自由度を向上させる自動車用スペアタイヤ保持装置の提供を図る。【解決手段】吊り索の端部にスペアタイヤを載せるタイヤ支持具を連結し、車体に取付けられた牽引装置によって吊り上げ固定するスペアタイヤ保持装置において、スペアタイヤが保持された状態における吊り索の吊支部を被い、前記吊支部の車体下面に対する傾きを抑制するガイドを設けたことを特徴とする。【選択図】      図２
2004168217.tif 000002
【特許請求の範囲】
【請求項１】
吊り索の端部にスペアタイヤを支持するタイヤ支持具を連結し、車体に取付けられた吊り索牽引装置によって吊り上げ固定するスペアタイヤ保持装置において、スペアタイヤが保持された状態における吊り索の吊支部を被い、前記吊支部の車体下面に対する傾きを抑制するガイドを設けることを特徴とするスペアタイヤ保持装置。
【請求項２】
前記ガイドは、少なくとも車体下部に当接する上側部材と、タイヤ支持具に当接する下側部材とからなり、前記下側部材は、前記上側部材に上下移動可能に取付けられることを特徴とする請求項１に記載のスペアタイヤ保持装置。
【請求項３】
前記ガイドは、車体下部と前記下側部材とに挟まれ弾性変形可能に配置される弾性体を有することを特徴とする請求項２に記載のスペアタイヤ保持装置。
【請求項４】
前記ガイドは、前記下側部材が前記上側部材の内側に取付けられることを特徴とする請求項２または３に記載のスペアタイヤ保持装置。
【発明の詳細な説明】
【０００１】
【発明の属する技術分野】
本発明は、自動車のスペアタイヤを保持する装置に関する。
【０００２】
【従来技術】
【特許文献１】
特開平１１−１１５８３４号公報
従来、自動車のスペアタイヤ保持装置としては、特開平１１−１１５８３４号公報に開示されているように、車体下部に設けられた吊り索牽引装置から垂れ下がる吊り索の先端にタイヤ載架具を連結し、吊り索牽引装置でタイヤ載架具に載せたスペアタイヤを吊り上げて、スペアタイヤを車体下部に設けたタイヤ当て部材に当てて保持する構造が知られている。
【０００３】
通常タイヤのサイドウォールは、車両の荷重に対する強度を上げるため外側に湾曲している形状になっているので、ディスクホイールのハブ孔周縁部は、タイヤのサイドウォール面より内側に位置する。そのため、スペアタイヤが吊り上げられると、タイヤのサイドウォール面が車体下部に当接してタイヤが保持されるが、ディスクホイールを載せているタイヤ載架具と車体下面との間には隙間が生じるので、前記隙間には吊り索の吊支部が存在する。
【０００４】
【発明が解決しようとする課題】
しかしながら、スペアタイヤを吊り上げる際に吊り索が揺れながら上がっていくと、吊り上がったときに吊り索の吊支部が傾いたまま固定され、スペアタイヤが搭載される前後左右の位置精度にばらつきが発生する。その為、スペアタイヤの保持位置のばらつきを考慮し、車体下面のスペアタイヤと接する部分に設けられたタイヤ当て部材を大きくしなければならず、車体下部のレイアウトが制約される。
【０００５】
そこで、本発明はスペアタイヤが吊り上って保持された状態において、吊り索の吊支部の車体下面に対する傾きを抑制し、スペアタイヤが搭載される位置の前後左右の精度を向上させることにより、タイヤ当て部材を小さくし、車体下部のレイアウトの自由度を高められる自動車のスペアタイヤ保持装置を提供するものである。
【０００６】
【課題を解決するための手段】
請求項１の発明にあっては、吊り索の端部にスペアタイヤを支持するタイヤ支持具を連結し、車体に取付けられた吊り索牽引装置によって吊り上げ固定するスペアタイヤ保持装置において、スペアタイヤが保持された状態における吊り索の吊支部を被い、前記吊支部の車体下面に対する傾きを抑制するガイドを設けることを特徴としている。
【０００７】
請求項２の発明にあっては、請求項１に記載のスペアタイヤ保持装置において、前記ガイドは、少なくとも車体下部に当接する上側部材と、タイヤ支持具に当接する下側部材とからなり、前記下側部材は、前記上側部材に上下移動可能に取付けられることを特徴としている。
【０００８】
請求項３の発明にあっては、請求項２に記載のスペアタイヤ保持装置において、前記ガイドは、車体下部と前記下側部材とに挟まれ弾性変形可能に配置される弾性体を有することを特徴としている。
【０００９】
請求項４の発明にあっては、請求項２または３に記載のスペアタイヤ保持装置において、前記ガイドは、前記下側部材が前記上側部材の内側に取付けられることを特徴としている。
【００１０】
【発明の効果】
請求項１に記載の発明によれば、スペアタイヤが牽引され、車体下部に固定された状態で、吊支部を被うガイドによって牽引装置とタイヤ支持具との間に残る吊り索の吊支部の車体下面に対する傾きを抑制することにより、スペヤタイヤが車体下部に接する位置の前後左右の精度を向上させることができるので、車体下面のスペアタイヤと接する部分に設けるタイヤ当て部材を極力小さくすることができ、車体下部のレイアウトの自由度を高めることができる。
【００１１】
請求項２に記載の発明によれば、請求項１の発明の効果に加えて、上記ガイドは、少なくとも車体下部に当接する上側部材と、タイヤ支持具に当接する下側部材とからなり、前記下側部材は、前記上側部材に上下移動可能に取付けられていることにより、タイヤ幅やオフセットの違いによって生じる吊支部の長さのばらつきを前記上側部材と前記下側部材の上下移動量によって調節することで、タイヤ幅やオフセットの異なるタイヤでも搭載することができる。
【００１２】
請求項３に記載の発明によれば、請求項２の発明の効果に加えて、車体下部と前記下側部材との間に弾性変形可能に配置される弾性体を設けることにより、前記下側部材は、前記下側部材と車体下部とに挟まれ押圧された弾性体の弾発力により常にタイヤ支持具に押し付けられており、走行時の振動により前記下側部材が上下に振動し異音が発生することを防ぐことができる。
【００１３】
請求項４に記載の発明によれば、請求項２または３の発明の効果に加えて、前記下側部材が前記上側部材の内側に取付けられることにより、ガイドの下部でより内径が小さくなり、内部を貫通する吊り索に近接することから、ガイドの内部で吊り索が傾くことを防ぎ、吊支部の車体下面に対する傾きをより確実に抑制することができる。
【００１４】
【発明の実施の形態】
以下、図面を参照しながら本発明の一実施形態を詳細に説明する。
【００１５】
図１は、本発明の一実施形態におけるスペアタイヤ保持装置の断面図、図２は、本発明の一実施形態におけるスペアタイヤ保持装置のスペアタイヤ保持状態を示す拡大断面図、図３本発明の一実施形態におけるスペアタイヤ保持装置のスペアタイヤ巻き上げ途中を示す拡大断面図である。
【００１６】
図１〜３において、１は吊り索牽引装置である巻き上げ装置、２は吊り索であるチェーン、３はタイヤ支持具である載架具、４は吊り索の吊支部Ａの車体下面に対する傾きを抑制するガイド、５はスペアタイヤ６に取付けられたディスクホイールを示す。また、７は車体フレーム横部材、８は車体フレーム縦部材、９は車体下面に設けられたタイヤ当て部材、ＦＰはフロアパネル、ＲＢは後部バンパーを示す。
【００１７】
車体の左右の車体フレーム縦部材８の間には、断面略ハット形状の車体フレーム横部材７が架設されている。車体フレーム横部材７のハット形状内部には巻き上げ装置１が格納されており、巻き上げ装置１は、ケース１１の天板が複数の取付けボルト１３で車体フレーム横部材７に締結固定されている。また、巻き上げ装置１の巻き上げドラム１２は巻き上げ装置ケース１１、及び車体フレーム横部材７に回転可能に軸支されている。
【００１８】
チェーン２は、巻き上げドラム１２に巻き掛けられ、一方を巻き上げ装置１の下部に設けられたガイド４の内部を挿通し下方に垂れ下がっており、その先端にタイヤ載架具３が連結されている。
【００１９】
タイヤ載架具３はスペアタイヤ６のディスクホイール５のハブ孔に貫通可能であり、タイヤ載架具３の両端部にスペアタイヤ６のディスクホイール５のハブ孔周縁部を載せる構成としている。
【００２０】
ガイド４は、上側部材である円筒状の外筒４１と、前記外筒４１より口径の小さい下側部材である円筒状の内筒４２と、弾性体であるコイルばね４３とで構成されている。外筒４１は巻き上げ装置ケース１１の下部に複数の取付けボルト４４で車体下面に対して垂直に固定されている。内筒４２は、外筒４１の上方から外筒４１内部に挿通され、内筒４２上面に外側へ向けて設けられた鉤部が、外筒４１下面に内側へ向けて設けられた鉤部に引っ掛かることで支持されている。コイルばね４３は、外筒４１の上方から外筒４１内部に挿入され、上面を巻き上げ装置ケース１１の下面に、下面を内筒４２の上面に夫々接するよう配置されている。チェーン２は、巻き上げ装置１から外筒４１の内部に配置されたコイルばね４３の内部及び内筒４２の内部を挿通して下方に垂れ下がっている。
【００２１】
スペアタイヤ６を搭載する場合は、図示を省略した回転工具を巻き上げドラム１２の工具取付け部１２ａに係合し、回転工具を回転して、巻き上げドラム１２を回転させることによって、チェーン２が巻き上げられ、スペアタイヤ６を載せたタイヤ載架具３が上方へ移動する。
【００２２】
このとき、スペアタイヤ６に何らかの力が加わると、スペアタイヤ６が揺れながら巻き上げられ、チェーン２も前後左右に揺れながら巻き上げられる。しかしながら、図３で示すごとくに、チェーン２はガイド４の内筒４２の下端を支点として揺れる一方、ガイド４の内部では、チェーン２の揺れが規制され車体下面に対して常に略垂直に保たれる。
【００２３】
巻き上げられたタイヤ載架具３は、ガイド４の内筒４２の下面に当接し、チェーン２の吊支部Ａが全て外筒４１及び内筒４２に被われるため、チェーン２の吊支部Ａが車体下面に対して略垂直に保たれる。
【００２４】
また、タイヤ幅やオフセット幅の差異により、タイヤ載架具３が内筒４２に当接してもなおスペアタイヤ６が車体下面に設けられたタイヤ当て部材９に達しない場合は、チェーン２がさらに巻き上げられることで、タイヤ載架具３が内筒４２を押し上げる。内筒４２は、外筒４１に上下移動可能に取付けられているので、コイルばね４３を押圧しながら押し上げられ、スペアタイヤが車体下面のタイヤ当て部材９に当接したところで止まる。内筒４２は、略外筒４１の長さ分の上下移動幅を有しているので、タイヤ幅やオフセット幅の差異を内筒４２の上下移動幅で調節することで、搭載できるスペアタイヤの種類やサイズを増やすことができる。
【００２５】
さらに、内筒４２は、押圧されたコイルばね４３の弾発力によりタイヤ載架具３に押し当てられているので、走行時の振動により内筒４２が上下に振動することがなく、内筒４２がディスクホイールに当たり異音が発生することを防ぐことができ、また、ディスクホイールに傷がつくことを防ぐことができる。
【００２６】
したがって、上記によりチェーン２の吊支部Ａの車体下面に対する傾きを抑制し、スペアタイヤ６の保持される位置が一定に保たれることによって、車体下面のタイヤ当て部材９を小さくすることができることで、車体下部のレイアウトの自由度を高めることができ、また、部品コストを低減し、部品重量を軽減することができる。
【００２７】
また、タイヤ幅やオフセットの異なるスペアタイヤも搭載することができ、汎用性を高めることができる。
【図面の簡単な説明】
【図１】本発明の一実施形態におけるスペアタイヤ保持装置の断面図
【図２】本発明の一実施形態におけるスペアタイヤ保持装置のスペアタイヤ保持状態を示す拡大断面図
【図３】本発明の一実施形態におけるスペアタイヤ保持装置のスペアタイヤ巻き上げ途中を示す拡大断面図
【符号の説明】
１  巻き上げ装置
２  チェーン
３  タイヤ載架具
４  ガイド
５  ディスクホイール
６  スペアタイヤ
７    車体フレーム横部材
８    車体フレーム縦部材
９    タイヤ当て部材
Ａ    吊支部
ＦＰ    フロアパネル
ＲＢ    後部バンパー
【図１】
2004168217.tif 000003
【図２】
2004168217.tif 000004
【図３】
2004168217.tif 000005